(57)【要約】      （修正有）【課題】比較的に狭い限られたスペースに設置が可能でありながら、巨大な仮想スクリーンを体感できる映像鑑賞装置を提供する。【解決手段】映像をスクリーン８に投影してスクリーン８上に投射された映像を複数の鑑賞者に鑑賞させる映像鑑賞装置において、前記スクリーン８上から発散された鑑賞者方向への光束を１または１組のみの光学素子６により少なくとも屈折または回折させて、前記スクリーン上の映像より大きくかつ同時に鑑賞可能にした。【選択図】図１１
2009025672.tif 000002
【特許請求の範囲】
【請求項１】
映像をスクリーンに投影してスクリーン上に投射された映像を鑑賞させる映像鑑賞装置において、
前記スクリーン上から発散された鑑賞者方向への光束を、１または１組のみの光学素子により少なくとも屈折または回折させて、前記スクリーン上の映像より大きくかつ同時に鑑賞可能にしたことを特徴とする映像鑑賞装置。
【請求項２】
前記光学素子は前記スクリーン上から発散された鑑賞者方向への光束の少なくとも一部を収束させる光学素子であり、前記スクリーンが設けられた位置より遠方に映像があるように同時に鑑賞可能に構成したことを特徴とする請求項１に記載の映像鑑賞装置。
【請求項３】
前記光学素子は集光力を有するマイクロレンズを複数配置し、当該光学素子を前記スクリーンの前記鑑賞者側の面に近接または接して設置することを特徴とする請求項１又は２に記載の映像鑑賞装置。
【請求項４】
前記光学素子は前記スクリーン上の映像より発散された光束を前記スクリーンの中心を通る法線方向の軸に集光させるように偏向させる屈折力または偏向力を有するように構成し、前記スクリーンの前記鑑賞者側の面に設けて視野角を大きくすることを特徴とする請求項１に記載の映像鑑賞装置。
【請求項５】
前記光学素子は傾き角が等しく、傾き方向が中心軸に回転対称となるように前記スクリーンの中心を中心とする同心円上にプリズムを配置させ、前記スクリーンの前記鑑賞者側に設置して前記スクリーン上から発散された光束を前記スクリーンの中心を通る法線方向に集光するように偏向させ視野角を大きくすることを特徴とする請求項４に記載の映像鑑賞装置。
【請求項６】
前記光学素子は傾き角が略同一で傾き方向が中心軸に対して対称な前記スクリーンの中心を中心とする同心円上にプリズムを前記スクリーンの前記鑑賞者側の面に設置し、前記プリズムの前記同心円の中心部になるに従い低く屈折率を分布させ、スクリーン上から発散された光束を前記スクリーンの中心を通る法線方向に集光するように偏向させて視野角を大きくすることを特徴とする請求項４に記載の映像鑑賞装置。
【請求項７】
前記光学素子は前記スクリーン上から発散された光束を収束する第１の光学素子と、前記スクリーン上から発散された光束を前記スクリーンの中心を通る法線方向に集光するように中心方向に偏向させる第２の光学素子とからなり、前記スクリーン上の映像が当該スクリーン上より遠方にスクリーン映像が存在するようにさせると共に視野角を大きくしたことを特徴とする請求項１に記載の映像鑑賞装置。
【請求項８】
前記第１の光学素子と前記第２の光学素子を一体化したことを特徴とする請求項７に記載の映像鑑賞装置。
【請求項９】
前記光学素子は正の屈折力を有するマイクロレンズを複数配置し、各前記マイクロレンズの曲率半径が周辺部と中心部とで異なるようにしたことを特徴とする請求項２に記載の映像鑑賞装置。
【請求項１０】
前記光学素子は前記各マイクロレンズの曲率半径が前記スクリーンの中心に近くなるほど低くして前記スクリーン中心部を半径とする同心円上に略同一の曲率としたことを特徴とする請求項９に記載の映像鑑賞装置。
【請求項１１】
前記スクリーン映像の中央付近の像を遠くにし、前記スクリーン映像の外周の像を近くに形成させて全体の像を連続した像にして写像することを特徴とする請求項７、請求項９または１０のいずれかに記載の映像鑑賞装置。
【請求項１２】
前記光学素子は前記スクリーンの中心を通る法線方向の軸と直交する二方向に偏向させる屈折力または偏向力を異なって設定し、前記二方向の視野角を変化させたことを特徴とする請求項４に記載の映像鑑賞装置。
【請求項１３】
前記光学素子は、前記スクリーンの中心を通る法線方向の軸に対して対称に線形プリズムを複数配置し、各前記線形プリズムの傾き角は、前記中心からの距離に従って大きくして偏向力が前記スクリーンの中心を通る法線方向の軸と直交する二方向で異なるようにしたことを特徴とする請求項１２に記載の映像鑑賞装置。
【請求項１４】
前記線形プリズムは、傾き角が等しい線形プリズムを用い、当該線形プリズムの屈折率が前記中心からの距離に従って低くしたことを特徴とする請求項１３に記載の映像鑑賞装置。
【請求項１５】
前記第２の光学素子が、前記スクリーンの中心を通る法線方向の軸と直交する二方向で異なるように設定して、当該方向で視野角の拡大度を変えたことを特徴とする請求項７に記載の映像鑑賞装置。
【発明の詳細な説明】
【技術分野】
【０００１】
本発明は、映像鑑賞装置に関する。
【背景技術】
【０００２】
従来から映画やビデオ映像をプロジェクタによりスクリーンに投影する装置が知られている。
このような装置に関し、例えば投影用スクリーン（例えば特許文献１〜３、７〜１３）に関する発明や投影型の表示装置（特許文献４〜６）、ヘッドマウントディスプレイ（ＨＭＤ）を含む画像表示装置（特許文献１４〜１８）などの発明も知られている。
また特許文献１８には、表示装置の発明が開示されている。この公報には、液晶周辺が眼につかないようにし、良好な表示が行えるＨＭＤ装置の発明が開示されている。そして博覧会のパビリオンなどに超大型の映像スクリーンを設置し、迫力ある映像を投影されているとしている。しかしながら大型のスクリーンを設置するにはそれなりの容積を持つ大規模な劇場を設ける必要がある。
しかし、上記した従来技術では、表示等の高画質化や画面の見易さを目的としており、これらの内容に関してスクリーンの形状や材質などを改良したり、また、プロジェクタからスクリーンまでの光路中に特別な光学系や光学素子を設置する点に着目された発明が開示されているに過ぎない。
【０００３】
また、従来、比較的に小さな劇場、または個人の室内で大型スクリーンを仮想的に体感するのに、ヘッドマウントディスプレイ（以下、ＨＭＤという）などと呼ばれる装置が知られている（特許文献１４〜１８など）。このＨＭＤは、小型の映像投影装置や映像の拡大像を形成する反射光学系などを有する「ゴーグル」とも呼ばれる映像投影装置を鑑賞者の頭部に装着し、鑑賞者の眼前に仮想スクリーンを形成している。
しかし、この発明では、鑑賞者別個にＨＭＤ装置（ゴーグル）を装着する必要があるため、観客の人数分だけ装置を用意しなければならない。またこれらの「ゴーグル」は、ある程度の重量を有し、鑑賞者に不快感も与えているのが実情である。
このように、本発明のような、既存の投影装置で既存のスクリーンへ投影した映像を大きく見せるため、スクリーンと鑑賞者の間に特殊な光学素子を配置する発明は、本発明者が知る限り知られていない。
【特許文献１】特開２００３−１２１６０９公報
【特許文献２】特表２００３−５１９４４５公報
【特許文献３】特許第３７７０００６号
【特許文献４】特開２０００−２８８０７公報
【特許文献５】特開平８−７６２５２号公報
【特許文献６】特許第２６５５７６４号
【特許文献７】ＷＯ２００４／０２９６７７
【特許文献８】特開２００４−１７０８６２公報
【特許文献９】特開２００５−６２３１２公報
【特許文献１０】特開平９−８１７８５号公報
【特許文献１１】特開平８−２７８５６１号公報
【特許文献１２】特開平７−３３３５５７号公報
【特許文献１３】特開２００５−２２７３３４公報
【特許文献１４】特開２００５−７０８０４公報
【特許文献１５】特開２００５−３５１９９０公報
【特許文献１６】特開２００５−３０１１９０公報
【特許文献１７】特開２００１−２６４６８４公報
【特許文献１８】特開平６−１９４６００号公報
【発明の開示】
【発明が解決しようとする課題】
【０００４】
本発明の目的は、比較的に狭い限られたスペースに設置が可能でありながら、巨大な仮想スクリーンを体感できる映像鑑賞装置を提供することにある。
【課題を解決するための手段】
【０００５】
上記の課題を解決するために、請求項１に記載の発明は、映像をスクリーンに投影してスクリーン上に投射された映像を鑑賞させる映像鑑賞装置において、
前記スクリーン上から発散された鑑賞者方向への光束を、１または１組のみの光学素子により少なくとも屈折または回折させて、前記スクリーン上の映像より大きくかつ同時に鑑賞可能にしたことを特徴とする。
また、請求項２に記載の発明は、請求項１において、前記光学素子は前記スクリーン上から発散された鑑賞者方向への光束の少なくとも一部を収束させる光学素子であり、前記スクリーンが設けられた位置より遠方に映像があるように前記複数の鑑賞者に同時に鑑賞可能に構成したことを特徴とする。
また、請求項３に記載の発明は、請求項１又は２において、前記光学素子は集光力を有するマイクロレンズを複数配置し、当該光学素子を前記スクリーンの前記鑑賞者側の面に近接または接して設置することを特徴とする。
また、請求項４に記載の発明は、請求項１の映像鑑賞装置において、前記光学素子は前記スクリーン上の映像より発散された光束を前記スクリーンの中心を通る法線方向の軸に集光させるように偏向させる屈折力または偏向力を有するように構成し、前記スクリーンの前記鑑賞者側の面に設けて視野角を大きくすることを特徴とする。
【０００６】
また、請求項５に記載の発明は、請求項４の映像鑑賞装置において、前記光学素子は傾き角が等しく、傾き方向が中心軸に回転対称となるように前記スクリーンの中心を中心とする同心円上にプリズムを配置させ、前記スクリーンの前記鑑賞者側に設置して前記スクリーン上から発散された光束を前記スクリーンの中心を通る法線方向に集光するように偏向させ視野角を大きくすることを特徴とする。
また、請求項６に記載の発明は、請求項４の映像鑑賞装置において、前記光学素子は傾き角が略同一で傾き方向が中心軸に対して対称な前記スクリーンの中心を中心とする同心円上にプリズムを前記スクリーンの前記鑑賞者側の面に設置し、前記プリズムの前記同心円の中心部になるに従い低く屈折率を分布させ、スクリーン上から発散された光束を前記スクリーンの中心を通る法線方向に集光するように偏向させて視野角を大きくすることを特徴とする。
【０００７】
また、請求項７に記載の発明は、請求項１の映像鑑賞装置において、前記光学素子は前記スクリーン上から発散された光束を収束する第１の光学素子と、前記スクリーン上から発散された光束を前記スクリーンの中心を通る法線方向に集光するように中心方向に偏向させる第２の光学素子とからなり、前記スクリーン上の映像が当該スクリーン上より遠方にスクリーン映像が存在するようにさせると共に視野角を大きくしたことを特徴とする。
また、請求項８に記載の発明は、請求項７の映像鑑賞装置において、前記第１の光学素子と前記第２の光学素子を一体化したことを特徴とする。
また、請求項９に記載の発明は、請求項２の映像鑑賞装置において、前記光学素子は正の屈折力を有するマイクロレンズを複数配置し、各前記マイクロレンズの曲率半径が周辺部と中心部とで異なるようにしたことを特徴とする。
また、請求項１０に記載の発明は、請求項９の映像鑑賞装置において、前記光学素子は前記各マイクロレンズの曲率半径が前記スクリーンの中心に近くなるほど低くして前記スクリーン中心部を半径とする同心円上に略同一の曲率としたことを特徴とする。
また、請求項１１に記載の発明は、請求項７、請求項９または１０の映像鑑賞装置において、前記スクリーン映像の中央付近の像を遠くにし、前記スクリーン映像の外周の像を近くに形成させて全体の像を連続した像にして写像することを特徴とする。
また、請求項１２に記載の発明は、請求項４の映像鑑賞装置において、前記光学素子は前記スクリーンの中心を通る法線方向の軸と直交する二方向に偏向させる屈折力または偏向力を異なって設定し、前記二方向の視野角を変化させたことを特徴とする。
また、請求項１３に記載の発明は、請求項１２の映像鑑賞装置において、前記光学素子は、前記スクリーンの中心を通る法線方向の軸に対して対称に線形プリズムを複数配置し、各前記線形プリズムの傾き角は、前記中心からの距離に従って大きくして偏向力が前記スクリーンの中心を通る法線方向の軸と直交する二方向で異なるようにしたことを特徴とする。
また、請求項１４に記載の発明は、請求項１３の映像鑑賞装置において、前記線形プリズムは、傾き角が等しい線形プリズムを用い、当該線形プリズムの屈折率が前記中心からの距離に従って低くしたことを特徴とする。
また、請求項１５に記載の発明は、請求項７の映像鑑賞装置において、前記第２の光学素子が、前記スクリーンの中心を通る法線方向の軸と直交する二方向で異なるように設定して、当該方向で視野角の拡大度を変えたことを特徴とする。
【発明の効果】
【０００８】
本発明では、光学的な作用に伴う人間の心理的な効果を利用して、実際のスクリーンよりも大きなスクリーンの虚像を生成する光学系を設置することによって、迫力ある巨大な映像を体感でき、ＨＭＤや偏向メガネなどの特殊な観察装置を装着することもなく、多数の鑑賞者が同時に鑑賞できる。
【発明を実施するための最良の形態】
【０００９】
以下、図面を参照しながら、本発明の映像鑑賞装置に関し、実施形態により、詳細に説明する。
実際の物体や、投影された映像を観察するとき、観察者が感じる物体や映像などの大きさは、現実的な物体の大きさというより、その場所における空間的な影響などの場所依存性や臨場感などの効果を含め、心理的な作用も大きく関わっている。本発明では、この心理的な効果を巧みに利用している。
以下の説明では、実際に存在する物体のほか、プロジェクタなどによりスクリーン上に投影された映像などから発せられた光束が観察者の目に入射し、観察者によって視覚的に認識されるものも総称して「物体」と呼ぶ。また、物体から発せられた光束が何らかの光学系によって別の位置に結像したものあるいは虚像も「像」と呼ぶ。
基本的には、観察者が感じる物体の大きさは、観察者の目に入射する光束の視野角と、観察者から物体までの距離によって決まる。
【００１０】
図１に示すように、観察者１が物体を見込む角度である視野角２の大きさは、物体までの距離でも決まるが、主に物体の大きさで決まる。すなわち、図１からも明らかなように、物体までの距離が同じであれば、物体の大きさが大きいほど、視野角２も大きくなる。
図２に、観察者１から物体までの距離と、観察者１が感じる物体の大きさとの関係を示す。もし観察者１が物体までの距離を実際よりも遠くに感じた（あるいは認識した）場合、観察者１が物体を見込む視野角２が図１の場合と同じであっても、観察者１は物体を実際よりも大きく感じることになる。
この実際の物体の存在する位置よりも遠くにあると感じる作用は、たとえば朝日や夕日などの際の太陽が大きく見える。太陽の大きさ、すなわち地表から太陽を見込む視野角は常に同じ（約０．５度）だが、昼間の天上にある太陽はより遠く、朝夕の地平線上にある太陽はより近くにあると思いこむ誤認識がある。このため、図２に示したような作用により、朝日や夕日は昼間の太陽よりも大きく見えるように感じられたりする。
【００１１】
図３に、レンズ３などの収束力または発散力を持つ光学素子と、物体４、光学素子によって結像される像５の位置関係とを示す。ここで、レンズ３の焦点距離がＦであり、レンズ３から距離Ａだけ離れた位置に物体４があるとき、レンズ３から距離Ｂだけ離れた位置に像５が結像されるとすると、
１／Ｆ＝（１／Ａ）＋（１／Ｂ）・・・（１）
の関係がある。
上記式（１）から、物体４からレンズ３までの距離Ａと、レンズの焦点距離Ｆの組み合わせによっては、Ｂの値が負となり、物体４と同じ側に虚像５ができるようなことも有り得る。このような状態を図４に示す。
図４に示すような虚像５ができる場合は、レンズ３より射出される光束は発散するが、光束がＢの位置から発せられたように視覚者には見えてしまうこととなる。その結果、物体４とレンズ３に対して反対側にいる観察者１からは、あたかもＢの位置に像５があるように見えることになる。
また図５に示す場合のように、レンズ３からの焦点距離と物体４との位置を図４に示す場合と比較して像（虚像）が実際位置よりも遠方に見えるような適切に配置する場合には、実際の物体位置より遠くに虚像５を作ることができる。
【００１２】
ここで物体を映像鑑賞装置のスクリーン８、またはスクリーン上に結像した映像とするとする。そして、スクリーン８と観察者１との間に、たとえば収束力を持つ光学素子７を設置する。そうすると、図６に示すように、スクリーン８の後方にスクリーンまたはスクリーン映像が実際には存在するように認識してしまう虚像９ができる。すなわちこのような時には、鑑賞者１からは、実際のスクリーン８より遠方にスクリーン上の映像９が見える。
これを具体的に数値化して説明すると、図６のような配置で、スクリーン８がレンズの左側に２メートル隔てた距離にあり、収束光学素子７の焦点距離が２５００ｍｍの場合を考える。この場合に、前記式（１）の１／Ｆ＝（１／Ａ）＋（１／Ｂ）の式に、Ｆ＝２．５、Ａ＝２を代入してＢを求めると、Ｂはマイナス１０メートルとなる。よって、スクリーンの虚像９が光学素子７の左側に１０メートル離れた位置にある位置に存在しているように見ることができる。すなわち、観察者１からは、収束光学素子７より１０メートルの遠方にあるスクリーン９に映像が投影されているように見える。
このときの映像を鑑賞する者が感じる映像の大きさを図７に示す。鑑賞者５が収束光学素子７を通してスクリーン映像８を見たとき、図２で説明したように、実際のスクリーン映像８よりも大きな映像９を実感しているような感覚を奏することになる。
【００１３】
次に視野角が変化したときの効果を説明する。物体の大きさと視野角の関係は図１に示した。図８に、視野角２が変化したときの物体の見え方を示す。図８に示すように、物体、すなわちスクリーン映像８と鑑賞者１との間にスクリーン映像８より発せられた光束を中心方向に偏向させる光学素子１０を設置する。そして視野角２を大きくすると、鑑賞者１からは実際よりも大きなスクリーン映像９が見えるようになる。
以上、説明した光学的な原理と結像作用で、鑑賞者が遠方にある物を大きく認識する効果（心理的効果を含む）を利用する。すなわち映像をスクリーンに投影して鑑賞する装置において、スクリーンが遠くにあるように感じさせる光学系を用いる。こうすると、比較的に小さなスクリーンに投影された映像であっても、あたかも離れた所にある大きなスクリーンに投影された映像であるかのように見えることができる。
また、たとえば視野角を拡大する光学系を映像鑑賞装置に組み込むと、鑑賞者は実際よりも大きな映像を鑑賞したのと同様な心理的な効果も得ることができる。
【００１４】
［実施例］
本発明をより具体的に、実施例により説明する。
図９に、プロジェクタ１１により映像をスクリーン８に投影し、そのスクリーン８上に結像された映像を鑑賞する映像鑑賞装置の基本配置を示す。プロジェクタ１１によって投影された映像は、スクリーン８に映写された映像がこのスクリーン上から各鑑賞者１へとスクリーン映像が、スクリーン８上の各点から発散し、鑑賞者１の目に入射される。スクリーン８上の映像は、光束を拡散する点が無数に存在する構成としている。
図１０は、スクリーン８中央部の映像より拡散された光束が鑑賞者１の目に入射される様子を示す図である。以降の説明では、原理や動作の説明を簡素化するため、このようなスクリーン８の中央部からの拡散光のみ、またはスクリーン８の周辺部からの拡散光を主に説明するために用いる。また、スクリーン８から鑑賞者１までの光学的な原理と作用の説明を中心にするため、スクリーン８に映像を投影するプロジェクタ１１は以降の説明で省く。このように何れの例でも、スクリーン８の左側には常にプロジェクタ１１が置かれていることを想定して説明は行う。しかしながら本発明では、プロジェクタの設置位置を限定しない。そしていずれの例においても、スクリーンと鑑賞者との間に特殊な光学系を配置させ、鑑賞者にあたかもより遠くに映像が映し出されるように感じるようにしている。
【００１５】
［実施例１］
図１１に示す構成は本発明の基本的な構成を示す実施例１に関する図である。図１１に示すように、スクリーン８の後方（鑑賞者に対して後方）からプロジェクタ１１により映像を投影し、スクリーン８上に結像された映像をスクリーン前方から鑑賞者１が鑑賞する。ここで、スクリーン８と鑑賞者１との間に、スクリーン８から発された光束を屈折させる光学系６を設置する。これによってスクリーン８の後方に、鑑賞者１からは実際よりも大きく見える仮想スクリーンが生成されている。
［実施例２］
図１２は実施例２に関する図であり、図１２に示すように、スクリーン８と鑑賞者１との間に、スクリーン８上の映像から発散された光束を収束させる光学特性を持つ光学素子７を設置している。この収束性により、鑑賞者１からはスクリーン映像９が実際のスクリーン８より遠方にあるように見える構成としている。これは、図５と図６でも説明したスクリーンの虚像となるが、鑑賞者１には、あたかも実際のスクリーン映像であるかのように見えるので、図１２における符号９は「仮想スクリーン」と呼ぶこともできる。
この仮想スクリーンは、実際のスクリーンよりも遠い位置に形成されるため、図７で説明したように、鑑賞者からは実際のスクリーンよりも大きく感じることになる。
【００１６】
［実施例３］
実施例３の構成を図１３と図１４に示す。図１３は実施例３の基本配置を示す図であり、マイクロレンズ１３を多数配置した収束性を持つ光学素子１２を、スクリーン８に近接して設置している。図１４は図１３のＡ部の拡大図であり、この光学素子１２に配列されたマイクロレンズ１３による収束作用の様子を示している。
この光学素子１２の収束作用により、図６と図７で説明したように、観察者１からは、実際のスクリーン８より遠方に在るスクリーン上からの映像９が見えるようにさせ、実際のスクリーン映像８よりも大きな映像９を体感させることになる。
［実施例４］
実施例４の構成を図１５に示す。スクリーン８と鑑賞者１との間に、スクリーン８上の映像から発せられた光束を中心に向けて偏向（たとえば屈折または回折）させる光学素子１０を配置している。この光学素子１０の偏向作用により視野角２が拡大され、図８で説明したように、鑑賞者１からは実際よりも大きなスクリーン映像９としてその像が存在しているかのように見えるようになる。
【００１７】
［実施例５］
実施例５の説明を図１６から図１８に示す。本実施例５では、実施例４における偏向させるための具体的な手段を示したものであり、図１６にはその断面図を示し、図１７にはその平面図を示す。これらの図に示すように、中心軸１５からの距離によって、例えば傾きが異なるように、帯状のプリズム１６ａ、１６ｂを円形（円環状）に配置することで偏向性を持たせた光学素子１４として配置している例を示す。
この光学素子１４は、周辺部のプリズム１６ａでは傾き角を大きく、中心部のプリズム１６ｂでは傾き角を小さく設定する。これによって、図１８に示すように、全ての光束を中心軸１５に向かって偏向させるようにしている。この偏向作用により、図１５で説明した効果をもたらすことができる。
［実施例６］
また、実施例６で用いられる光学素子１４は、実施例４のより具体化した他の例であり、前記した実施例５で説明した図１６と図１７に示した構造とほぼ同じとなるが、各帯状プリズム（円環状プリズム）１６ａ、１６ｂの傾き角度は全て等しい。ただし、この光学素子１４を形成する光学材料は屈折率分布型の光学系を用いたものであって、周辺部１６ａでは屈折率が高く、中心部１６ｂでは屈折率が低くなっている。これにより、図１７に示した例と同様に、全ての光束が中心軸方向に偏向される。
【００１８】
［実施例７］
実施例７の構成例を図１９から図２１に示す。なお、図１９から図２１では、スクリーン８周辺部の上下より発せられた２つの光束により物体（映像）が鑑賞者にどのように見えるかを説明している。
本実施例では、図１９の配置図に示すように、スクリーン８と鑑賞者１との間に、スクリーン８から発散された光束を収束させる光学素子７と、スクリーン８から発せられた光束を中心に向けて偏向させる光学素子１０とをともに設置して、スクリーン８より遠方にスクリーン映像の虚像を形成させ、且つ視野角を拡大している。
そして図２０に示すように、本実施例では、まず収束光学素子７により、実際のスクリーン８からの映像光束０１が収束され第１の収束光束０２となる。これにより図２０に示す点線に示されるように実際のスクリーン８の位置よりも遠方のスクリーン上、映像９の位置からの映像と感じることになる。次に、収束光学素子７により収束された映像光束０２は偏向光学素子１０により、図２１に示すように、視野角２が拡大されて鑑賞者１の目に到達する。これら２つの光学素子７、１０を両方使用することにより、より大きな映像と、より後方に像があるような臨場感が増大した映像を体感し実現することができる。
【００１９】
［実施例８］
次に実施例８の構成を図２２に示す。本実施例では、用いられる光学素子１７の片側の面に、図１３と図１４に示すマイクロレンズ１３が多数配置され、他の側の面には、図１６と図１７に示した前記したプリズムが配置された一体の光学素子１７が配置されている。この構成により、一体の光学素子１７の使用によって、実施例７と同様の効果が得られる。本実施例では、また、実施例６で使用された屈折率分布型プリズム（帯状プリズム（円環状プリズム））を、偏向作用を持たせる側に用いることができる。
［実施例９］
実施例９の構成を図２３に示す。この例での基本的な構成は、図１２に示す例と基本的には同様であるが、スクリーン８上の映像から発散された光束を収束させる光学素子７の収束力が、中央部近傍でより強く、周辺部では弱くなるように収束力分布を持たせて配分されている。これにより、スクリーン８中央部近傍の虚像９ａはより遠くに存在しているように感じさせ、スクリーン８周辺部の虚像９ｂはより近くに形成され、スクリーンの虚像９の全体はほぼ球形（の内面の一部を構成していること）となる。このように本実施例では、鑑賞者１からは、あたかも球形のスクリーンに投影された映像を見ていることとなる。
【００２０】
［実施例１０］
本実施例１０では、前記した実施例９の収束光学素子７として、図１３と図１４の例に示したような、収束性を持つマイクロレンズ１３を多数配置した光学素子１２で、各マイクロレンズ１３の収束力を、中心部と周辺部とで異なるように、各マイクロレンズの形状、とくに曲率半径に変化を持たせている。
［実施例１１］
本実施例１１では、前記した実施例９の収束光学素子７として、図１３と図１４の例に示したような、収束性を持つマイクロレンズ１３を多数配置した光学素子１２に、中心部と周辺部とで屈折力の異なる屈折率分布型の光学材料（光学素子）を用いることで、中心部と周辺部とで屈折力が異なる（中心部から周辺部までに（例えば線形性の）屈折率分布を有する）ようにしている。
【００２１】
［実施例１２］
本実施例１２の構成を図２４に示す。基本的な構成は図１９から図２１に示した実施例７と同様であるが、スクリーン８の中央部と周辺部に対するそれぞれの収束力は図２３に示した実施例９と同様であり、スクリーンの虚像９の形状は略球形（の内面の一部）をなしている。
［実施例１３］
本実施例１３を図２５と図２６に示す。本実施例１３に使用されている偏向光学素子１０では、方向によって視野角２を拡大する度合いを変えている例を示す。この例では、鑑賞者１から見て横方向の視野角２を拡大している。図２５には上方向から眺めた横方向の断面を示し、図２６には横方向から眺めた縦方向の断面を示している。
図２５と図２６の例における鑑賞者１から見たスクリーン８とスクリーン虚像９との関係を、図２７に示す。図２７に示すように、スクリーン虚像９の横方向９ｄは、スクリーン虚像９の縦方向９ｅよりも拡大され、スクリーン虚像９は、実際のスクリーン８の縦対横の比よりも横長になっている。
【００２２】
［実施例１４］
本実施例１４で用いる方向性のある偏向素子の例を図２８と図２９に示す。断面形状が図２８に示すような傾きの異なるプリズム１６ａ、１６ｂを、図１７に示す円形ではなく、図２９に示すような直線状に配置している。プリズム１６ａ、１６ｂは、中心軸１５と直交する２直線１８ａ、１８ｂのうち、この図２９の例では、縦方向の直線１８ａについて左右対称となる配置で、縦方向の直線１８ａからの距離によって傾きが異なるように設定されている。
［実施例１５］
本実施例１５で用いる方向性のある偏向素子は、基本的な構造は図２８と図２９に示した例と同じだが、プリズムの中央部１６ａと周辺部１６ｂで同じ傾きとしている。しかし、この光学素子１４を形成する光学材料として、屈折率分布型であって、周辺部１６ａで屈折率が高く、中心部１６ｂで屈折率が低くなっている光学素子を使用する。これにより、本実施例では、横方向に大きな偏向性を持つことになる。
【００２３】
［実施例１６］
本実施例１６の構成を図３０から図３３に示す。本実施例１６の構成では、図１９から図２１の例で示したように、収束光学素子７と偏向光学素子１０の両方を有するが、このうちの偏向光学素子１０は、図２５と図２６の例と同様に、方向によって視野角２を拡大する度合いを変えている。
ここに示す例でも、図２５と図２６の例と同様に、鑑賞者１から見て横方向の視野角２を拡大している。図３０には、上方向から眺めた横方向の断面を、図３１には、横方向から眺めた縦方向の断面を示している。
図２５と図２６の例での、鑑賞者から見たスクリーン８とスクリーン虚像９の様子を図３２に、簡易的な斜視図を図３３に示す。スクリーン虚像９の横方向９ｄはスクリーン虚像９の縦方向９ｅよりも拡大され、スクリーン虚像９すなわち仮想スクリーンは、実際のスクリーン８よりの縦横比よりも横長の比率になっている。なお、図３３では、収束光学素子７と偏向光学素子１０を簡素化のためを一つの光学素子７、１０として図示している。本実施例あるいは本発明では、中心軸として、スクリーン８の中心を取っている。またこれと直交する２軸は、基本的には中心軸を通る水平軸と垂直軸であることを意味している。
【００２４】
以上に説明した通り、本発明では、鑑賞者が個々にＨＭＤ（ヘッドマウントディスプレイ）などの特殊な装置を装着することもなく、また、プロジェクタやスクリーンなども既存の装置がそのまま使え、大型スクリーンの設置に制約がある比較的に狭い場所で、あたかも巨大なスクリーンに投影されたような迫力ある大型映像を仮想的に体感できる。
前記した実施例１３〜１６では、シネマスコープ（２．３５：１）、ビスタサイズ（１．８５：１）、ハイビジョン（１６：９）などのワイドスクリーン形式で収録された映画やビデオの作品を、狭い場所、特に左右のスペースに限りがある場所で鑑賞するのに適している。ただし、この方式で投影される映像については、特定方向に引き伸ばされることを考慮しておく必要がある。例えば、スクリーン映像が横方向に延伸される場合は、横方向に圧縮された画像を投影することになる。
また本発明では上記した実施例において、鑑賞者１に対してプロジェクタ１１の位置をスクリーン８の後方にある場合を例にして説明した。しかしながら本発明では、プロジェクタの設定位置を、スクリーン８を基準にして鑑賞者１よりも後方にあるような位置関係に限定されない。このような場合にはスクリーンとしては透過型スクリーンを使用することができる。透過型スクリーンは、光源から投射される映像光を鑑賞者１側に鑑賞させるために略平行光となるように偏向させるフレネルレンズシートを光源側に配置し、鑑賞者１側にレンチキュラーレンズシートとを有して構成される。さらに鑑賞者側に拡散シート、ブラックストライプなどを配して構成することもできる。
【００２５】
また反射型のスクリーンを使用する場合には、光源であるプロジェクタ１１とスクリーン８の光線軸（入射側光線軸）が、スクリーン８から反射されて鑑賞者１に到達する反射側光線軸と交差しないように設定することが好ましい。
このように本発明では、スクリーン８と光学素子６、７、１２、１４などとの距離を十分に設けてプロジェクタ光１１をスクリーン８に対して鑑賞者１と同じ方向に（スクリーン８に対して鑑賞者１が各図で右側に配置されているのと同様の右側に）配置する構成とすることもできる。このような場合、スクリーン８から照射される映像光の中心軸をスクリーン中心に照射するようにすることが好ましい。
【図面の簡単な説明】
【００２６】
【図１】物体と視野角の関係を示す図である。
【図２】物体距離と見え方の関係を示す図である。
【図３】物体と像の関係を示す図である。
【図４】物体と虚像の関係を示す図である。
【図５】物体と虚像の関係を示す図である。
【図６】スクリーンとスクリーン虚像の関係を示す図である。
【図７】鑑賞する者が感じる映像の大きさを示す図である。
【図８】視野角と物体の見え方を示す図である。
【図９】映像鑑賞装置の基本配置を示す図である。
【図１０】映像鑑賞装置の基本配置を示す図である。
【図１１】実施例１の構成例を示す図である。
【図１２】実施例２の構成例を示す図である。
【図１３】実施例３の構成例を示す図である。
【図１４】図１３のＡ部拡大図である。
【図１５】実施例４の構成例を示す図である。
【図１６】実施例４をより具体的に構成した実施例５・６に使用した帯状のプリズム１６ａ、１６ｂを円形（円環状）の断面図である。
【図１７】実施例４をより具体的に構成した実施例５・６に使用した帯状のプリズム１６ａ、１６ｂを円形（円環状）の平面図である。
【図１８】実施例４をより具体的に構成した実施例５・６に使用した帯状のプリズム１６ａ、１６ｂを円形（円環状）に配置した構成による偏向の様子を示す図である。
【図１９】実施例７の各光学系などの配置を示す図である。
【図２０】実施例７の説明図である。
【図２１】実施例７の説明図である。
【図２２】実施例８で使用される収束偏向光学素子の構成を示す図である。
【図２３】実施例９の光学素子配置とその像とを説明するための図である。
【図２４】実施例１２の各光学素子と、それによる形成像とを説明するための図である。
【図２５】実施例１３の像形成を説明するための横方向の断面図である。
【図２６】実施例１３の像形成を説明するための縦方向の断面図である。
【図２７】実施例１３におけるスクリーン上での像８と現実的に存在すると見えるスクリーン虚像９との関係を示す図である。
【図２８】実施例１４〜１５で使用される光学系（プリズム）を示す断面図である。
【図２９】実施例１４〜１５で使用される格子状に配置構成された光学系（プリズム）を示す平面図である。
【図３０】実施例１６に係る各光学系の配置を示す横方向の断面図である。
【図３１】実施例１６に係る各光学系の配置を示す縦方向の断面図である。
【図３２】実施例１６でのスクリーン映像８と鑑賞者に現実的に存在すると見えるスクリーン虚像９との関係を示す説明図である。
【図３３】実施例１６に係る各光学系の配置とそれによる映像例を示す簡易的な斜視図である。
【符号の説明】
【００２７】
１：観察者、または映像を鑑賞する者、２：視野角、３：収束性または発散性を持つ光学素子、４：物体、５：像（実像または虚像）、６：光学素子、７：収束性を持つ光学素子、８：スクリーン、またはスクリーン上の映像、９：スクリーンの虚像、または仮想スクリーンの映像、９ａ：スクリーン虚像の中央部、９ｂ：スクリーン虚像の周辺部、９ｄ：スクリーン虚像の横方向（長辺）、９ｅ：スクリーン虚像の縦方向（短辺）、１０：偏向性を持つ光学素子、１１：プロジェクタ、１２：収束光学素子、１３：マイクロレンズ部、１４：偏向光学素子、１５：偏向光学素子の中心軸、１６ａ：光学素子のプリズム（周辺部）、１６ｂ：光学素子のプリズム（中央部）、１７：の収束偏向光学素子、１８ａ：中心軸と直交する直線（縦方向）、１８ｂ：中心軸と直交する直線（横方向）
【図１】
2009025672.tif 000003
【図２】
2009025672.tif 000004
【図３】
2009025672.tif 000005
【図４】
2009025672.tif 000006
【図５】
2009025672.tif 000007
【図６】
2009025672.tif 000008
【図７】
2009025672.tif 000009
【図８】
2009025672.tif 000010
【図９】
2009025672.tif 000011
【図１０】
2009025672.tif 000012
【図１１】
2009025672.tif 000013
【図１２】
2009025672.tif 000014
【図１３】
2009025672.tif 000015
【図１４】
2009025672.tif 000016
【図１５】
2009025672.tif 000017
【図１６】
2009025672.tif 000018
【図１７】
2009025672.tif 000019
【図１８】
2009025672.tif 000020
【図１９】
2009025672.tif 000021
【図２０】
2009025672.tif 000022
【図２１】
2009025672.tif 000023
【図２２】
2009025672.tif 000024
【図２３】
2009025672.tif 000025
【図２４】
2009025672.tif 000026
【図２５】
2009025672.tif 000027
【図２６】
2009025672.tif 000028
【図２７】
2009025672.tif 000029
【図２８】
2009025672.tif 000030
【図２９】
2009025672.tif 000031
【図３０】
2009025672.tif 000032
【図３１】
2009025672.tif 000033
【図３２】
2009025672.tif 000034
【図３３】
2009025672.tif 000035